(57)【特許請求の範囲】
【請求項１】
外部から伝播してくる振動を減衰し、リレーを屋外の設備に設置して使用可能にするリレー用防振台装置であって、
前記設備に固定されるベース板と、
前記ベース板に着脱可能に据え付けられる支持台と、
前記リレーが接続されるジャック盤を保持するためのフレーム体と、
前記支持台と前記フレーム体の間に介装されている防振部材と、
を備え、
前記支持台と前記フレーム体には、前記ジャック盤に繋がれ、そのジャック盤を介して前記リレーに接続されたケーブルの一部分を固定するためのケーブル固定部が設けられており、
前記支持台には、前記フレーム体を挟む配置に前記ケーブル固定部が対を成して設けられており、その対を成すケーブル固定部は互いに平行であって前記ベース板とも平行な棒状部分を有しており、
前記フレーム体には、前記支持台に設けられた一対のケーブル固定部の棒状部分と垂直であって前記ベース板とは平行な棒状部分を有する前記ケーブル固定部が少なくとも１つ設けられていることを特徴とするリレー用防振台装置。
【請求項２】
前記支持台に設けられた一対のケーブル固定部は、垂直姿勢で前記支持台に固設されていることを特徴とする請求項１に記載のリレー用防振台装置。
【発明の詳細な説明】
【技術分野】
【０００１】
本発明は、継電切替リレーなど屋内用のリレーを屋外の設備に設置するのに用いるリレー用防振台装置に関する。
【背景技術】
【０００２】
一般に１つの停車場（駅や操車場）には１つの連動装置が備えられており、連動装置が構内の転轍機と信号機の動作を制御している。
この連動装置を新たな装置に入れ替える場合、新たな装置による制御が適正に行われるか試験を行うため、従来は軌道の近傍にある器具箱に旧装置による制御と新装置による制御を切り替えるための切替スイッチを設置し、試験を行う直前に作業員が切替スイッチを操作するという手法が取られていた。この試験は所定期間に複数回行われ、新たな装置による制御が適正であることが確認された後に、新旧装置の入れ替えがなされる。
【０００３】
ところで、駅構内には多くの器具箱が数ｋｍに亘る範囲に設けられており、試験の度に各器具箱に作業員を派遣しなければならないので、切替スイッチを使用した試験は煩わしいものであった。
そこで、作業員が操作する切替スイッチに代えて継電切替リレーを器具箱に設置し、その継電切替リレーを連動装置がある機器室から遠隔操作することで新旧装置の切り替えを行って、新たな装置による制御が適正に行われるか試験する手法について検討した。
その結果、軌道近傍の器具箱に継電切替リレーを設置して使用する場合、列車走行時の振動による誤作動を防ぐ対策が必要になることが分かった。なお、地震などによる振動の影響を排除する技術としては、例えば、特許文献１の防振台などが知られている。
【先行技術文献】
【特許文献】
【０００４】
【特許文献１】特開平５−７１５７４号公報
【発明の概要】
【発明が解決しようとする課題】
【０００５】
しかしながら、継電切替リレーは屋内で使用した実績はあるものの、屋外での使用実績はない。また、従来、屋外で使用するために開発された防振性の高いリレーは存在するものの、現存の屋外用リレーの中には継電切替リレーとするのに適したものはなく、新たなリレーを設計して製造すると大幅なコストアップを招く。
そこで、本発明者らは屋内用の継電切替リレーを器具箱に設置して使用できるようにするための防振台を新たに考案することとした。
【０００６】
本発明の目的は、屋内用のリレーを屋外の設備に設置して使用可能にするためのリレー用防振台装置を提供することである。
【課題を解決するための手段】
【０００７】
上記目的を達成するため、この発明は、
外部から伝播してくる振動を減衰し、リレーを屋外の設備に設置して使用可能にするリレー用防振台装置であって、
前記設備に固定されるベース板と、
前記ベース板に着脱可能に据え付けられる支持台と、
前記リレーが接続されるジャック盤を保持するためのフレーム体と、
前記支持台と前記フレーム体の間に介装されている防振部材と、
を備え、
前記支持台と前記フレーム体には、前記ジャック盤に繋がれ、そのジャック盤を介して前記リレーに接続されたケーブルの一部分を固定するためのケーブル固定部が設けられており、
前記支持台には、前記フレーム体を挟む配置に前記ケーブル固定部が対を成して設けられており、その対を成すケーブル固定部は互いに平行であって前記ベース板とも平行な棒状部分を有しており、
前記フレーム体には、前記支持台に設けられた一対のケーブル固定部の棒状部分と垂直であって前記ベース板とは平行な棒状部分を有する前記ケーブル固定部が少なくとも１つ設けられているようにした。
【０００８】
かかる構成のリレー用防振台装置は、支持台とフレーム体の間に防振部材が介装された構造を有しているので、このリレー用防振台装置を用いてリレー（例えば、継電切替リレー）を屋外の設備（例えば、器具箱）に設置した場合に、列車の走行による振動など外部からの振動がフレーム体に伝達されないようになっており、フレーム体に保持されているジャック盤に接続されたリレーに振動を作用させないようにすることができる。
また、フレーム体に保持されているジャック盤を介してリレーに接続したケーブルの一部分をケーブル固定部に固定することで、外部からの振動がケーブルを通じてリレーに伝達され難くすることができる。
【０００９】
つまり、このリレー用防振台装置を用いれば、屋内用のリレー（継電切替リレー）を屋外の設備（器具箱）に設置して使用する場合でも、列車の走行による振動など外部からの振動によってリレーが誤作動することはない。
従って、このリレー用防振台装置は、屋内用のリレーを屋外の設備に設置して使用するための装置として有効に利用することができる。
【００１０】
また、支持台に設けられたケーブル固定部と、フレーム体に設けられたケーブル固定部は、互いに垂直な棒状部分を有しているので、何れか固定し易い向きのケーブル固定部にケーブルを固定することができる。
また、向きが異なる両方のケーブル固定部（支持台とフレーム体のケーブル固定部）にケーブルを固定すれば、そのケーブルをリレー用防振台装置に好適に拘束することができる。
【００１１】
また、望ましくは、
前記支持台に設けられた一対のケーブル固定部は、垂直姿勢で前記支持台に固設されているようにする。
一対のケーブル固定部が垂直に立設されて支持台に固設されていれば、支持台をベース体から外して持ち上げる際にその一対のケーブル固定部を把持部として好適に使うことができる。
【発明の効果】
【００１２】
本発明によれば、屋内用のリレーを屋外の設備に設置して好適に使用することができる。
【図面の簡単な説明】
【００１３】
【図１】本実施形態の継電切替リレー用防振台装置を示す説明図であり、上面図（ａ）と、正面図（ｂ）と、側面図（ｃ）である。
【図２】継電切替リレーが取り付けられている継電切替リレー用防振台装置を示す斜視図である。
【図３】継電切替リレー用防振台装置によって継電切替リレーを所定の設備に設置した状態を示す斜視図である。
【発明を実施するための形態】
【００１４】
以下、図面を参照して、本発明に係るリレー用防振台装置の実施形態について詳細に説明する。但し、以下に述べる実施形態には、本発明を実施するために技術的に好ましい種々の限定が付されているが、本発明の範囲を以下の実施形態及び図示例に限定するものではない。
【００１５】
図１（ａ）は、本実施形態の継電切替リレー用防振台装置１００の上面図、図１（ｂ）はその正面図、図１（ｃ）はその側面図である。
図２は、継電切替リレー１が取り付けられている継電切替リレー用防振台装置１００を示す斜視図である。図３は、継電切替リレー用防振台装置１００に取り付けられた継電切替リレー１にケーブルＣが接続されている状態を示す斜視図である。
継電切替リレー用防振台装置１００は、屋内用の継電切替リレー１を屋外の設備に設置するのに用いる装置である。
本実施形態では、この継電切替リレー用防振台装置１００を用いて、器具箱Ｂに継電切替リレー１を設置する。
器具箱Ｂは、駅構内または線路沿線の信号設備の近くにある屋外設備であり、器具箱Ｂの中に各種機器類が設置されて配線されている。
【００１６】
本実施形態の継電切替リレー用防振台装置１００は、図１〜図３に示すように、器具箱Ｂの棚板の上面に固定されるベース板１０と、ベース板１０に着脱可能に据え付けられる支持台２０と、継電切替リレー１が取り付けられるフレーム体３０と、支持台２０とフレーム体３０の間に介装されている防振部材４０等を備えている。
また、支持台２０には、継電切替リレー１に接続されたケーブルＣの一部分を固定するためのケーブル固定部２５が設けられており、フレーム体３０には、継電切替リレー１に接続されたケーブルＣの一部分を固定するためのケーブル固定部３５が設けられている。
【００１７】
ベース板１０は、例えば金属製の平板状の部材であり、皿ねじ１１によって器具箱Ｂの棚板に固定されている。なお、皿ねじ１１の頭部はベース板１０の上面と面一になっている。
【００１８】
支持台２０は、例えば金属板がハット曲げ成形されてなる台状の部材であり、スタッドボルト２１およびナット２２によってベース板１０に取り付けられている。
具体的に、支持台２０がベース板１０に当接する両側部にダルマ穴２０ａが形成されており、そのダルマ穴２０ａに挿通されたスタッドボルト２１の上端側にナット２２を螺着して、支持台２０をベース板１０に取り付けている。こうすることで、スタッドボルト２１やナット２２を外すことなく、ナット２２を少し緩めるようにして、ベース板１０から支持台２０を簡便に取り外すことが可能になっている。
そして、ベース板１０を器具箱Ｂに残すように、支持台２０とフレーム体３０と防振部材４０を含む装置本体をベース板１０から取り外し、装置本体を移動させることが可能になっている。
また、この支持台２０の両側部には、側面視して略コ字形状を呈する金属製の棒状部材であるケーブル固定部２５が設けられている。
このケーブル固定部２５は、フレーム体３０を挟む配置に対を成して設けられており、その対を成すケーブル固定部２５は互いに平行であってベース板１０とも平行な棒状部分を有している（図１参照）。
【００１９】
フレーム体３０は、例えば金属製の枠状部材であり、ベース板１０と平行に配されるフレーム底部３１と、フレーム底部３１に垂直に立設されたフレーム前面部３２とを有している。このフレーム前面部３２に継電切替リレー１を取り付けるための開口部３２ａが設けられている。本実施形態では４つの継電切替リレー１を取り付けるため、４つの開口部３２ａが設けられている。
また、フレーム体３０における開口部３２ａの下側には、上面視して略コ字形状を呈する金属製の棒状部材であるケーブル固定部３５が設けられている。
このケーブル固定部３５は、支持台２０に設けられた一対のケーブル固定部２５の棒状部分と垂直であって、ベース板１０とは平行な棒状部分を有している（図１参照）。
【００２０】
防振部材４０は、例えばシリコーン樹脂材料などからなる防振性能・緩衝性能を有する弾性部材であり、本実施形態では略樽型に成形したαＧＥＬ（登録商標）からなる防振部材４０を用いた。
具体的に、支持台２０の上面の四隅に防振部材４０を載置し、その４つの防振部材４０の上にフレーム体３０を載置するように、支持台２０とフレーム体３０の間に防振部材４０を配設している。なお、防振部材４０は所定の取付具によって支持台２０の上面とフレーム体３０の下面に着設されており、支持台２０とフレーム体３０を連結するように配設されている。
この防振部材４０を支持台２０とフレーム体３０の間に介装することによって、列車走行時の振動が器具箱Ｂからフレーム体３０に伝達されないようになっている。
【００２１】
このような継電切替リレー用防振台装置１００において、図２に示すように、フレーム体３０（フレーム前面部３２）の開口部３２ａからジャック盤のコネクタ部１ａがケーブル固定部３５のある面側に突き出るように、フレーム体３０にジャック盤が係合されており、そのフレーム体３０に保持されたジャック盤に継電切替リレー１の端子を挿し込んで取り付けて、継電切替リレー１がフレーム体３０に取り付けられるようになっている。
また、図３に示すように、継電切替リレー用防振台装置１００のフレーム体３０に保持されているジャック盤のコネクタ部１ａに複数のケーブルＣを繋いで、そのジャック盤（コネクタ部１ａ）を介して複数のケーブルＣを継電切替リレー１に接続して、その継電切替リレー１を動作可能な状態とすることができる。
【００２２】
そして、ジャック盤（コネクタ部１ａ）を介して継電切替リレー１に接続した複数のケーブルＣを束ね、そのケーブルＣの束の一部分をケーブル固定部３５，２５に固定して使用する。
本実施形態では、結束バンドＫで複数のケーブルＣを束ねつつ、そのケーブルＣをフレーム体３０のケーブル固定部３５に固定した。更に、別の箇所で複数のケーブルＣを結束バンドＫで束ねて、そのケーブルＣを支持台２０のケーブル固定部２５に固定した。
ここでは、継電切替リレー１が取り付けられているジャック盤のコネクタ部１ａに接続したケーブルＣがコネクタ部１ａから垂れ下がらないようにそのケーブルＣを支持するために、ケーブルＣの一部分をケーブル固定部３５，２５に固定している。
こうしてコネクタ部１ａに接続したケーブルＣを、コネクタ部１ａから垂れ下がらないように支持することで、コネクタ部１ａにケーブルＣの重量による負荷が掛からないようにしている。
【００２３】
また、ケーブルＣの一部分をケーブル固定部３５，２５に固定することで、その固定した箇所でのケーブルＣの移動を規制し、列車走行時の振動がケーブルＣを通じて継電切替リレー１に伝達され難くしている。
特に、支持台２０に設けられたケーブル固定部２５と、フレーム体３０に設けられたケーブル固定部３５は、互いに垂直な棒状部分を有しているので、その両方にケーブルＣを固定すれば、そのケーブルＣの移動を規制するように継電切替リレー用防振台装置１００にケーブルＣを好適に拘束することができる。
【００２４】
以上のように、この継電切替リレー用防振台装置１００は、支持台２０とフレーム体３０の間に防振部材４０が介装された構造を有しているので、列車走行時の振動が器具箱Ｂからフレーム体３０に伝達されないようになっており、フレーム体３０に取り付けられた継電切替リレー１に列車走行時の振動を作用させないようにすることができる。
また、フレーム体３０に取り付けられた継電切替リレー１に接続した複数のケーブルＣの束の一部分をケーブル固定部３５，２５に固定することで、列車走行時の振動がケーブルＣを通じて継電切替リレー１に伝達され難くすることができる。
【００２５】
このような継電切替リレー用防振台装置１００を用いれば、屋内用の継電切替リレー１を器具箱Ｂに設置して使用する場合でも、列車走行時の振動によって継電切替リレー１が誤作動することはない。つまり、この継電切替リレー用防振台装置１００は、継電切替リレー１を屋外の設備に設置して使用するのに適した機能を有している。
このように、本実施形態の継電切替リレー用防振台装置１００は、継電切替リレー１を屋外の設備に設置して使用するための装置として有効に利用することができる。
【００２６】
また、本実施形態の継電切替リレー用防振台装置１００は、ベース板１０を器具箱Ｂに残すように、支持台２０とフレーム体３０と防振部材４０を含む装置本体をベース板１０から容易に取り外すことができるので、狭隘な器具箱Ｂの中から継電切替リレー１を装置本体ごと移動させ、器具箱Ｂの外で各種調整作業を行うことができる。
なお、継電切替リレー１を装置本体ごと移動させる場合、継電切替リレー１（コネクタ部１ａ）に接続されたケーブルＣの束の一部分は装置本体におけるケーブル固定部３５，２５に固定されているので、その移動をスムーズに行うことができる。またその際、支持台２０に垂直に立設されたケーブル固定部２５を把手（把持部）のように掴むことで、継電切替リレー１を装置本体ごと移動させ易くなっている。
【００２７】
なお、以上の実施の形態においては、継電切替リレー用防振台装置１００のフレーム体３０に４つの継電切替リレー１を取り付ける場合を例に説明したが、本発明はこれに限定されるものではなく、フレーム体３０に取り付ける継電切替リレー１の数は任意である。
例えば、継電切替リレー用防振台装置１００のフレーム体３０に１〜３つの継電切替リレー１を取り付けて使用してもよく、また、取り付ける継電切替リレー１の数に応じたサイズのフレーム体３０を形成してもよい。
【００２８】
また、その他、具体的な細部構造等についても適宜に変更可能であることは勿論である。
【符号の説明】
【００２９】
１      継電切替リレー（リレー）
１ａ    コネクタ部
１０    ベース板
１１    皿ねじ
２０    支持台
２０ａ  ダルマ穴
２１    スタッドボルト
２２    ナット
２５    ケーブル固定部
３０    フレーム体
３１    フレーム底部
３２    フレーム前面部
３２ａ  開口部
３５    ケーブル固定部
４０    防振部材
１００  継電切替リレー用防振台装置（リレー用防振台装置）
Ｂ      器具箱（設備）
Ｃ      ケーブル
Ｋ      結束バンド
【図１】
0006740003.tif 000002
【図２】
0006740003.tif 000003
【図３】
0006740003.tif 000004